(57)【要約】【課題】部品点数を抑えつつ、複数のセンサーのスイッチを破損させることなく精度良く押圧できる画像形成装置及び画像読取装置を提供する。【解決手段】装置本体部１ａと、装置本体部１ａに対して開閉可能に取り付けられる原稿供給部２とを備える画像形成装置１であって、原稿供給部２からの力を受ける受け部５１と、受け部５１で受けた力により回転軸４１ａを中心に回転して複数のセンサー６，７のスイッチ６１，６２を押すための弾性を有する押圧部５２とを備える押圧部材５が装置本体部１ａに設けられており、回転する押圧部５２は、第１センサー６の筐体６ａで受け止められる。【選択図】図５
2015036214.tif 000002
【特許請求の範囲】
【請求項１】
装置本体部と、前記装置本体部に対して開閉可能に取り付けられる開閉部材とを備える画像形成装置であって、
前記開閉部材からの力を受ける受け部と、前記受け部で受けた力により回転軸を中心に回転して複数のセンサーのスイッチを押すための弾性を有する押圧部とを備える押圧部材が前記装置本体部に設けられており、回転する前記押圧部は、前記センサーの筐体で受け止められることを特徴とする画像形成装置。
【請求項２】
前記押圧部材と前記複数のセンサーは、第１ハウジングと第２ハウジングからなるセンサーハウジングに収容されており、前記第１ハウジング内に形成された２つの軸により前記押圧部材と第１センサーが支持されることを特徴とする請求項１に記載の画像形成装置。
【請求項３】
前記２つの軸により前記第２ハウジングの位置決めを行うことを特徴とする請求項２に記載の画像形成装置。
【請求項４】
前記第２ハウジングに第２センサーが固定されることを特徴とする請求項２に記載の画像形成装置。
【請求項５】
前記押圧部材の重心は、前記回転軸に対して鉛直方向下方側かつ前記センサー側に位置することを特徴とする請求項１〜４の何れか１項に記載の画像形成装置。
【請求項６】
前記第２ハウジングには、前記センサーのハーネスを通すハーネス通し孔が形成されていることを特徴とする請求項２〜５の何れか１項に記載の画像形成装置。
【請求項７】
前記複数のセンサーのスイッチは、前記回転軸の軸方向に沿って配置され、前記押圧部は、前記スイッチを押圧する部分がその他の部分に比べて前記軸方向に幅広となっていることを特徴とする請求項１〜６の何れか１項に記載の画像形成装置。
【請求項８】
装置本体部と、前記装置本体部に対して開閉可能に取り付けられる開閉部材とを備える画像読取装置であって、
前記開閉部材からの力を受ける受け部と、前記受け部で受けた力により回転軸を中心に回転して複数のセンサーのスイッチを押すための弾性を有する押圧部とを備える押圧部材が前記装置本体部に設けられており、回転する前記押圧部は、前記センサーの筐体で受け止められることを特徴とする画像読取装置。
【発明の詳細な説明】
【技術分野】
【０００１】
本発明は、装置本体部と装置本体部に対して開閉可能に取り付けられる開閉部材とを備える画像形成装置及び画像読取装置に関する。
【背景技術】
【０００２】
従来、画像形成装置等において、ひとつのセンサーのスイッチを、対応するひとつの部材で押していた。そのため、センサーのスイッチが複数となると、これに合わせて複数の部材が必要となり、その結果、装置が複雑となり、また、複数のスイッチを押す精度の確保が難しかった。
【０００３】
下記特許文献１には、開閉部材を閉じると、開閉部材に設けた押圧部材により押圧用リンクが押されて回動し、押圧用リンクに固定されているＳＷ押圧軸により、複数の安全スイッチを押圧することができるレーザ記録装置が記載されている。
【先行技術文献】
【特許文献】
【０００４】
【特許文献１】特許第３１３０５６６号公報
【発明の概要】
【発明が解決しようとする課題】
【０００５】
しかしながら、特許文献１のＳＷ押圧軸は、安全スイッチを深く押しすぎると破損させてしまい、一方、破損させないように浅く押すと安全スイッチが作動しない恐れがあった。
【０００６】
本発明は上記実情に鑑みてなされたものであり、その目的は、部品点数を抑えつつ、複数のセンサーのスイッチを破損させることなく精度良く押圧できる画像形成装置及び画像読取装置を提供することにある。
【課題を解決するための手段】
【０００７】
上記課題を解決するため本発明に係る画像形成装置は、
装置本体部と、前記装置本体部に対して開閉可能に取り付けられる開閉部材とを備える画像形成装置であって、
前記開閉部材からの力を受ける受け部と、前記受け部で受けた力により回転軸を中心に回転して複数のセンサーのスイッチを押すための弾性を有する押圧部とを備える押圧部材が前記装置本体部に設けられており、回転する前記押圧部は、前記センサーの筐体で受け止められることを特徴とする。
【０００８】
かかる構成による画像形成装置の作用効果を説明する。本発明の画像形成装置は、回転軸を中心に回転する押圧部材により、複数のセンサーのスイッチを押すため、部品点数を抑えることができる。さらに、押圧部が弾性を有するため、スイッチに過大な負荷をかけることなく、精度良く押圧することができる。また、回転する押圧部は、センサーの筐体で受け止められるため、センサーのスイッチの破損を防止することができる。
【０００９】
本発明の画像形成装置において、前記押圧部材と前記複数のセンサーは、第１ハウジングと第２ハウジングからなるセンサーハウジングに収容されており、前記第１ハウジング内に形成された２つの軸により前記押圧部材と第１センサーが支持されることが好ましい。
【００１０】
この構成によれば、部品点数を抑えつつ、押圧部材と第１センサーの位置決めを確実に行えるため、押圧部材により第１センサーのスイッチを精度良く押圧することができる。
【００１１】
本発明の画像形成装置において、前記２つの軸により前記第２ハウジングの位置決めを行うことが好ましい。
【００１２】
この構成によれば、部品点数を抑えつつ、第２ハウジングの位置決めを確実に行えるため、押圧部材により複数のセンサーのスイッチを精度良く押圧することができる。
【００１３】
本発明の画像形成装置において、前記第２ハウジングに第２センサーが固定されることが好ましい。
【００１４】
この構成によれば、部品点数を抑えつつ、第２センサーの位置決めを確実に行えるため、押圧部材により第２センサーのスイッチを精度良く押圧することができる。
【００１５】
本発明の画像形成装置において、前記押圧部材の重心は、前記回転軸に対して鉛直方向下方側かつ前記センサー側に位置することが好ましい。
【００１６】
この構成によれば、開閉部材からの力を受けていないとき、押圧部材は自重によりセンサーから離れる向きに回転するため、スイッチを押圧することがない。
【００１７】
本発明の画像形成装置において、前記第２ハウジングには、前記センサーのハーネスを通すハーネス通し孔が形成されていることが好ましい。
【００１８】
この構成によれば、ハーネス通し孔が第２ハウジングに一体として形成されているため、部品点数を抑えることができる。
【００１９】
本発明の画像形成装置において、前記複数のセンサーのスイッチは、前記回転軸の軸方向に沿って配置され、前記押圧部は、前記スイッチを押圧する部分がその他の部分に比べて前記軸方向に幅広となっていることが好ましい。
【００２０】
複数のスイッチを押圧する部分が幅広となっているため、押圧部は複数のセンサーのスイッチを精度良く押圧することができる。
【００２１】
また、上記課題を解決するため本発明に係る画像読取装置は、
装置本体部と、前記装置本体部に対して開閉可能に取り付けられる開閉部材とを備える画像読取装置であって、
前記開閉部材からの力を受ける受け部と、前記受け部で受けた力により回転軸を中心に回転して複数のセンサーのスイッチを押すための弾性を有する押圧部とを備える押圧部材が前記装置本体部に設けられており、回転する前記押圧部は、前記センサーの筐体で受け止められることを特徴とする。
【００２２】
かかる構成による画像読取装置の作用効果を説明する。本発明の画像読取装置は、回転軸を中心に回転する押圧部材により、複数のセンサーのスイッチを押すため、部品点数を抑えることができる。さらに、押圧部が弾性を有するため、スイッチに過大な負荷をかけることなく、精度良く押圧することができる。また、回転する押圧部は、センサーの筐体で受け止められるため、センサーのスイッチの破損を防止することができる。
【図面の簡単な説明】
【００２３】
【図１】本発明に係る画像形成装置の一例を示す斜視図
【図２】本発明に係る画像形成装置の一例を示す斜視図
【図３】センサーユニットの分解斜視図
【図４】原稿供給部とセンサーユニットの関係を示す模式図
【図５】原稿供給部とセンサーユニットの関係を示す模式図
【発明を実施するための形態】
【００２４】
以下、本発明の実施の形態について、図面を参照しながら説明する。図１及び図２は、本発明に係る画像形成装置の一例を示す斜視図である。なお、内部構造が分かるように、一部を省略して示している。画像形成装置１は、例えば、原稿搬送装置（ＡＤＦ）により自動的に供給される原稿の画像を画像読取部で１枚ずつ読取り、その原稿の画像データに基づいて記録紙に画像を形成する複写機である。この複写機は、本発明に係る画像読取装置にも相当する。
【００２５】
画像形成装置１には、装置本体部１ａ内に、画像読取部の他、画像形成部、及び給紙部などが備えられており、装置本体部１ａの上部に原稿供給部２が設けられている。
【００２６】
本実施形態において、原稿供給部２は、装置本体部１ａの上面に対して上下に開閉可能に取り付けられており、本発明の開閉部材に相当する。図１は原稿供給部２を開いた状態を示し、図２は原稿供給部２を閉じた状態を示している。図に示すように、原稿供給部２の下面には、板状の突起２１が設けられている。
【００２７】
装置本体部１ａには、センサーユニット３が設けられている。図３は、センサーユニット３の分解斜視図である。センサーユニット３は、センサーハウジング４を備えており、センサーハウジング４が装置本体部１ａに固定される。センサーハウジング４は、第１ハウジング４１と第２ハウジング４２とからなる。第１ハウジング４１は箱状をしており、第２ハウジング４２は第１ハウジング４１の開口を閉じる蓋状をしている。第２ハウジング４２は、第１ハウジング４１に対してネジ４３により固定される。なお、第２ハウジング４２も第１ハウジング４１と同様に箱状としても構わない。
【００２８】
センサーハウジング４には、押圧部材５と複数のセンサーが収容される。本実施形態では、第１センサー６と第２センサー７が収容される例を示す。第１センサー６には、側方に突出する第１スイッチ６１が設けられている。第２センサー７には、第１スイッチ６１の突出方向と同じ方向に突出する第２スイッチ７１が設けられている。本実施形態では、第１スイッチ６１と第２スイッチ７１とが、隣り合うように配置されている。
【００２９】
第１ハウジング４１内には、押圧部材５を支持するための第１支持軸４１ａ、第１センサー６を支持するための第２支持軸４１ｂが底部から突出するように形成されている。第２ハウジング４２には、第１支持軸４１ａに対応する位置に第１位置決め穴４２ａ、第２支持軸４１ｂに対応する位置に第２位置決め穴４２ｂが形成されており、第１ハウジング４１の２つの支持軸４１ａ，４１ｂにより第２ハウジング４２の位置決めが行われる。
【００３０】
押圧部材５は、受け部５１と押圧部５２とを有し、全体としてＬ字状をしている。受け部５１と押圧部５２の接続部分には貫通孔５３が形成されており、貫通孔５３に第１ハウジング４１の第１支持軸４１ａを通すことで、第１支持軸４１ａが押圧部材５の回転軸となる。
【００３１】
受け部５１は、原稿供給部２の突起２１からの力を受けることができる。押圧部５２は、受け部５１で受けた力により第１支持軸４１ａを中心に回転する。
【００３２】
本実施形態の押圧部材５は、金属の薄板を曲げ加工することで形成されている。押圧部５２は、薄板状であり、弾性を有する。また、押圧部５２は、隣り合う第１スイッチ６１及び第２スイッチ７１を同時に押圧するために、先端部分５２ａがその他の部分に比べて幅広となっている。
【００３３】
受け部５１は、断面が略直角となるように薄板を折り曲げて形成されており、押圧部５２に比べ、剛性が高く、突起２１からの力を確実に受け止めることができる。
【００３４】
押圧部材５の材料としては、金属のほか、プラスチック等の樹脂でも構わない。例えば、押圧部材５をステンレス製の薄板で形成する場合、押圧部５２が適度な弾性を有するように、板厚を０．１〜１ｍｍ程度とするのが好ましい。
【００３５】
第２ハウジング４２の内面には、第２センサー７が固定される。第２センサー７は、第１ハウジング４１と第２ハウジング４２を組み立てた際に、第１センサー６の第１スイッチ６１と第２センサー７の第２スイッチ７１とが、第１支持軸４１ａ（押圧部材５の回転軸）の軸方向に沿って配置されるように第２ハウジング４２に固定される。
【００３６】
また、第２ハウジング４２の端部には、第１センサー６と第２センサー７のハーネス（不図示）を通すためのハーネス通し孔４２ｃが形成されている。さらに、第２ハウジング４２の外面には、第１センサー６と第２センサー７のハーネスを保持するためのハーネス保持部４２ｄが形成されている。
【００３７】
図４及び図５は、原稿供給部２とセンサーユニット３の関係を示す模式図であり、図４は原稿供給部２を開いた状態、図５は原稿供給部２を閉じた状態を示す。なお、図４及び図５では、説明の便宜のため、第２ハウジング４２等は図示していない。図４に示すように、原稿供給部２が開状態にあるとき、原稿供給部２は、装置本体部１ａの上面を解放する。
【００３８】
原稿供給部２を図４の開状態から、装置本体部１ａの上面を覆う図５の閉状態へと移動させると、図５に示すように原稿供給部２の突起２１が押圧部材５の受け部５１を下方に押し込む。突起２１からの下方への力を受け部５１で受けた押圧部材５は、第１支持軸４１ａを中心に回転し、押圧部５２の先端部分５２ａは第１スイッチ６１及び第２スイッチ７１を押圧する。押圧部材５は、回転の途中で、押圧部５２の先端が第１センサー６の筐体６ａに接触する。押圧部５２の先端が接触する箇所は、第１スイッチ６１よりも径方向外側である。押圧部材５が更に回転されると、押圧部５２は先端と根元の間で回転方向に撓むこととなる。このように、回転する押圧部５２は、第１センサー６の筐体６ａで受け止められるため、第１スイッチ６１及び第２スイッチ７１には過大な負荷がかからず、第１センサー６及び第２センサー７の破損を防止することができる。なお、回転する押圧部５２を、第１ハウジング４１又は第２ハウジング４２の内部に形成した別部材で受け止めることもできるが、第１センサー６の筐体６ａで受け止めることで全体の部品点数を抑えつつ、第１スイッチ６１及び第２スイッチ７１を高精度に押圧できる。
【００３９】
押圧部材５の重心５ａは、回転軸である第１支持軸４１ａに対して鉛直方向下方側かつ第１センサー６及び第２センサー７側に位置している。これにより、原稿供給部２が開状態にあるとき、すなわち、原稿供給部２からの力を受けていないとき、押圧部材５は自重により第１センサー６及び第２センサー７から離れる向きに回転するため、第１スイッチ６１及び第２スイッチ７１を押圧することがない。
【００４０】
［他の実施形態］
（１）前述の実施形態では、２個のセンサーを備える例を示したが、センサーは３個以上であってもよい。また、複数のセンサーのスイッチは、鉛直方向に互いにずらして配置されてもよく、これにより、複数のスイッチが押圧されるタイミングをずらすことができる。
【００４１】
（２）前述の実施形態では、第１センサー６の筐体６ａが第２センサー７の筐体よりも大きいため、回転する押圧部５２を第１センサー６の筐体６ａで受け止めているが、第２センサー７の筐体７ａで受け止めるようにしてもよい。
【００４２】
（３）前述の実施形態では、押圧部材５を一枚の薄板から形成しているが、別々に形成した受け部５１と押圧部５２を組み合わせて押圧部材５を形成してもよい。
【符号の説明】
【００４３】
１        画像形成装置
１ａ      装置本体部
２        原稿供給部
３        センサーユニット
４        センサーハウジング
５        押圧部材
５ａ      押圧部材の重心
６        第１センサー
６ａ      第１センサーの筐体
７        第２センサー
４１        第１ハウジング
４１ａ      第１支持軸
４１ｂ      第２支持軸
４２        第２ハウジング
５１        受け部
５２        押圧部
６１        第１スイッチ
７１        第２スイッチ
【図１】
2015036214.tif 000003
【図２】
2015036214.tif 000004
【図３】
2015036214.tif 000005
【図４】
2015036214.tif 000006
【図５】
2015036214.tif 000007